(57)【要約】【課題】  蓋の先端に設けられた舌片が側板に糊付けされたものであっても、容易にかつ正確に破断して展開することができる包装箱を提供する。【解決手段】  一対の蓋２、３とを備え、一対の蓋２、３は、先端に延設された舌片２ｂ、３ｂと、この舌片２ｂ、３ｂの外面の所定範囲に設定された蓋部糊付け部２ｃ、３ｃとを有し、包装箱１０の本体１は、蓋部糊付け部２ｃ、３ｃにそれぞれ糊付けされる一対の本体糊付け部１ｆ、１ｇと、包装箱１０の側面の破断を誘導する少なくとも１つの横断裂開部５とを有するとともに、両開放側端１ｅには、本体糊付け部１ｆ、１ｇを囲うように設けられた側端裂開部６、７を有している。【選択図】      図１
2005324820.tif 000002
【特許請求の範囲】
【請求項１】
平面に展開可能な略直方体の包装箱であって、
筒状の本体と、この筒状の本体の一対の開口にそれぞれ設けられる一対の蓋とを備え、
上記一対の蓋は、それぞれ包装箱の本体との連結部を折り目として、この折り目を軸にして包装箱の本体に対して開閉可能に設けられるとともに、先端に延設された舌片と、この舌片の外面の所定範囲に設定された蓋部糊付け部とを有し、
上記包装箱の本体は、それぞれの舌片に重ね合わされる両開放側端の各所定範囲に設定されて、蓋部糊付け部にそれぞれ糊付けされる一対の本体糊付け部と、一方の開口から他方の開口にかけて包装箱の側面の破断を誘導する少なくとも１つの横断裂開部とを有するとともに、
上記両開放側端には、本体糊付け部を囲うように設けられ、本体糊付け部が蓋部糊付け部に糊付けされた状態で本体から分離されるように破断誘導する側端裂開部を有していることを特徴とする包装箱。
【請求項２】
上記側端裂開部の少なくとも一方は、本体の開放側端の辺の一の位置から始まり横断裂開部側に傾く方向に形成された第１の破断誘導部と、上記開放側端の辺に概ね平行に形成された第２の破断誘導部と、上記開放側端の辺の他の位置で終わる第３の破断誘導部とから構成されていることを特徴とする請求項１に記載の包装箱。
【請求項３】
上記第３の破断誘導部は、第１の破断誘導部に概ね平行に形成されていることを特徴とする請求項２に記載の包装箱。
【請求項４】
上記第１の破断誘導部と第２の破断誘導部とは、横断裂開部に対する最近接部において、それぞれの破断誘導部の破断を誘導する一つの略Ｕ字状の切れ目に接続されているものであることを特徴とする請求項２もしくは請求項３のいずれかに記載の包装箱。
【請求項５】
少なくとも上記本体の内面には、情報を示す表示部が設けられていることを特徴とする請求項１ないし請求項４のいずれかに記載の包装箱。
【発明の詳細な説明】
【技術分野】
【０００１】
本発明は、例えば食品、化粧品、医薬品等の包装箱に関するものである。
【背景技術】
【０００２】
例えば食品、化粧品、医薬品等の包装箱として、４枚の側板で構成される筒状の本体の上下２つの開口に蓋が設けられたものが知られている。
【０００３】
このような包装箱は、一般に、それぞれの蓋が包装箱の本体との連結部を折り目として開閉可能に設けられるとともに、蓋の先端に差し込み片である舌片が延設されている。そして、包装箱に商品を収納した後は、差し込み片である舌片を筒状の本体に折込むとともに、舌片と本体の側板とを接着剤等で封緘した状態で製品として流通させている。
【０００４】
このような包装箱は、収納される商品が例えば目薬等医薬品の場合などは、製品の他に効能などを記載した説明書が箱の中に同封されることが一般的であるが、最近は、環境保護運動の高まりから、資源の使用量をできるだけ減らすことを目的として、この説明書を省略して代わりに包装箱の内面に種々の記載を行うようにすることが検討されている。
【０００５】
ただ、このような包装箱の記載を読むためには、ハサミ等で包装箱を切断して展開する必要がある。ハサミを使わず手で包装箱を破断しようとすると思わぬ方向に破断してしまい、内面の記載事項が読めなくなることがあるためである。特にバージン性を確保するために開口部を糊付してある箱などの場合、展開時にはがれ残り等が発生すると、記載事項の視認が難しいだけでなく、説明書きの美感も損ない、保管されずに廃棄されてしまう危惧もある。また、記載事項が読めないがために使用方法を間違うということが起こると、医薬品等においては深刻な問題となることも考えられる。
【０００６】
それ故、このような包装箱の場合、内面の記載を読むことができるようにするためには、包装箱を容易にかつ正確に破断して展開できるように構成されていることが求められる。
【０００７】
ところで、このような容易にかつ正確に破断して展開できる包装箱は、また、中に収容されている製品を取り出すことが容易な包装箱としての利点も大きいと考えられている。すなわち、サイズの小さな包装箱などの場合は、商品によっては内容物を取り出しにくいこともあり、高齢化社会の到来に伴い老人人口が増加している現状を鑑みると、容易にかつ正確に破断して展開できる包装箱は、老人でも簡単に製品を取り出すことができるものとして大きな需要があると考えられている。
【０００８】
そこで、最近では、このような事情に鑑みて容易にかつ正確に破断して展開できるものとして、本体にミシン目等の裂開部を入れて破断方向を誘導するように構成した包装箱が種々提案されている。
【０００９】
例えば、特許文献１には、４つの側面板が筒状で且つ折り畳み可能に形成され、上部を開口可能に形成した包装箱であって、側面板に４つの側面板が展開可能なように、切断可能部を形成した内面表示部を有する包装用箱の構成が開示されている。
【特許文献１】特開２００１−５８６３２号公報
【発明の開示】
【発明が解決しようとする課題】
【００１０】
しかしながら、上述の公報に開示された包装箱では、蓋の先端に設けられた差し込み片である舌片が側面板に糊付けされていない包装箱が前提となっている。多くの製品では、流通の段階における商品の改ざん等を防止するために、包装箱に商品を収納した後、差し込み片である舌片を筒状の本体に折込むとともに、本体の側板と接着剤等で封緘した状態で製品として流通させている。
【００１１】
上述の公報に開示された包装用箱では、蓋の先端にある舌片が側面板に糊付けされている場合には、展開時にはがれ残り等が発生すると、記載事項の視認が難しいだけでなく、説明書きの美感も損なうという問題がある。このように、上述の公報に開示された包装用箱は、糊付け部を含めて容易にかつ正確に破断して展開することができるというものではなかった。
【００１２】
本発明は上記不具合に鑑みてなされたものであり、蓋の先端に設けられた舌片が側板に糊付けされたものであっても、例えば中に収容されている製品がより取り出し易かったり、内面の説明書きの記載事項を判読可能であるなど、容易にかつ正確に破断して展開することができる包装箱を提供することを課題としている。
【課題を解決するための手段】
【００１３】
上記課題を解決するための本発明は、平面に展開可能な略直方体の包装箱であって、筒状の本体と、この筒状の本体の一対の開口にそれぞれ設けられる一対の蓋とを備え、上記一対の蓋は、それぞれ包装箱の本体との連結部を折り目として、この折り目を軸にして包装箱の本体に対して開閉可能に設けられるとともに、先端に延設された舌片と、この舌片の外面の所定範囲に設定された蓋部糊付け部とを有し、上記包装箱の本体は、それぞれの舌片に重ね合わされる両開放側端の各所定範囲に設定されて、蓋部糊付け部にそれぞれ糊付けされる一対の本体糊付け部と、一方の開口から他方の開口にかけて包装箱の側面の破断を誘導する少なくとも１つの横断裂開部とを有するとともに、上記両開放側端には、本体糊付け部を囲うように設けられ、本体糊付け部が蓋部糊付け部に糊付けされた状態で本体から分離されるように破断誘導する側端裂開部を有していることを特徴とする包装箱である。
【００１４】
本発明によれば、包装箱の本体は、両開放側端において本体糊付け部を囲うように側端裂開部を有しているので、側端裂開部の始端もしくは終端から破断しても、本体糊付け部を外方から押圧して側端裂開部の途中から破断しても本体糊付け部の周りを破断させることができる。そして本体糊付け部が蓋部糊付け部に糊付けされた状態で本体から分離されるので、容易に蓋を開放することができるようになる。
【００１５】
また、この包装箱の本体は、一方の開口から他方の開口にかけて包装箱の側面の破断を誘導する少なくとも１つの横断裂開部を有しているので、この横断裂開部に沿って本体の側面を正確に破断することができる。なお、ここで横断とは、一方の開口から他方の開口にかけて横切る意味であり、縦横の方向を示す意味ではない。
【００１６】
それ故、まず、一方の側端裂開部を押圧して破断させて蓋を開放した後に、この開口の側から横断裂開部を破断し、そのまま他方の側端裂開部を一方の端部から破断するなどして、容易に包装箱を展開することができる。
【００１７】
このように、本発明によれば、蓋の先端に設けられた舌片が側板に糊付けされたものであっても、包装箱を容易にかつ正確に破断して展開することができるようになる。また、各糊付け部におけるはがれ残りも生じない。
【００１８】
ここで、上記側端裂開部の少なくとも一方は、本体の開放側端の辺の一の位置から始まり横断裂開部側に傾く方向に形成された第１の破断誘導部と、上記開放側端の辺に概ね平行に形成された第２の破断誘導部と、上記開放側端の辺の他の位置で終わる第３の破断誘導部とから構成されていることが好ましい。
【００１９】
このようにすれば、側端裂開部の第１の破断誘導部が、本体の開放側端の辺の一の位置から横断裂開部側に傾く方向に形成され、第２の破断誘導部が、本体の開放側端の辺に概ね平行に形成されているので、横断裂開部側から側端裂開部の破断を行えば、第１の破断誘導部と第２の破断誘導部とからそれることなく容易に側端裂開部を破断することができる。
【００２０】
また、上記第３の破断誘導部は、第１の破断誘導部に概ね平行に形成されていることが好ましい。
【００２１】
このようにすれば、第３の破断誘導部が、第１の破断誘導部に概ね平行に形成されているので、同様に第３の破断誘導部からそれることなく側端裂開部を破断することができる。
【００２２】
また、上記第１の破断誘導部と第２の破断誘導部とは、横断裂開部に対する最近接部において、それぞれの破断誘導部の破断を誘導する一つの略Ｕ字状の切れ目に接続されているものであることが好ましい。
【００２３】
このようにすれば、第１の破断誘導部と第２の破断誘導部との両方とも、横断裂開部に対する最近接部に設けられた略Ｕ字状の切れ目に接続されているので、それぞれの破断誘導部を同じタイミングで破断開始することができる結果、スムースに各破断誘導部に沿って側端裂開部を破断することができる。
【００２４】
また、少なくとも上記本体の内面には、情報を示す表示部が設けられていることが好ましい。
【００２５】
このようにすれば、情報を示す別体の説明書などを省略して資源の使用量をできるだけ減らすことができるようになる。
【発明の効果】
【００２６】
以上説明したように、本発明によれば、蓋の先端に設けられた舌片が側板に糊付けされたものであっても、例えば中に収容されている製品をより取り出し易くしたり、内面の説明書きの記載事項をもれなく判読できるなど、包装箱を容易にかつ正確に破断して展開することができるようになる。また、各糊付け部におけるはがれ残りも生じない。
【発明を実施するための最良の形態】
【００２７】
以下、添付図面を参照しながら本発明の好ましい実施の一形態について詳述する。図１は本発明の実施の形態に係る包装箱１０の構成を示す斜視図であり、図２は本発明の実施の形態に係る包装箱１０の構成を示す展開図である。
【００２８】
図１と図２とに示すように、本発明の実施の形態に係る包装箱１０は、例えば食品、化粧品、医薬品等の包装体として用いられる厚紙で構成される箱であり、平面に展開可能な略直方体の形状をしている。この包装箱１０は、４枚の側板１ａ、１ｂ、１ｃ、１ｄで構成される筒状の本体１と、この筒状の本体１の上下一対の開口にそれぞれ設けられる一対の蓋２、３とを備えた厚紙で構成される箱体であり、本体１の内面には、用法や取り扱いの説明書きなどの情報を示す表示部４（図２）が設けられている。
【００２９】
上記一対の蓋２、３は、それぞれ包装箱１０の本体１との連結部２ａ、３ａを折り目として、この折り目を軸にして包装箱１０の本体１に対して開閉可能に設けられるとともに、先端に延設された舌片２ｂ、３ｂと、この舌片２ｂ、３ｂの外面の略中央部の所定範囲に設定された蓋部糊付け部２ｃ、３ｃとを有している。
【００３０】
上記包装箱１０の本体１は、それぞれの舌片２ｂ、３ｂに重ね合わされる両開放側端の各所定範囲に設定されて、蓋部糊付け部２ｃ、３ｃにそれぞれ糊付けされる一対の本体糊付け部１ｆ、１ｇと、蓋２、３とそれぞれ折り合わされるフラップ１ｈ、１ｊおよび１ｋ、１ｍ（図２）と、一方の開口から他方の開口にかけて包装箱１０の側面の破断を誘導するミシン目で構成された少なくとも１つの横断裂開部５とを有している。また、両開放側端１ｅには、本体糊付け部１ｆ、１ｇを囲うように設けられ、本体糊付け部１ｆ、１ｇが蓋部糊付け部２ｃ、３ｃに糊付けされた状態で本体１から分離されるように破断誘導するミシン目で構成された側端裂開部６、７とを有している。
【００３１】
ここで、図３は、本発明の実施の形態に係る包装箱１０の側端裂開部６の構成を示す説明図である。また、図４は、本発明の実施の形態に係る包装箱１０の側端裂開部７の構成を示す説明図である。
【００３２】
図３に示すように、側端裂開部６は、本体１の開放側端１ｅの辺の一の位置から始まる第１の破断誘導部６ａと、開放側端１ｅの辺に概ね平行に形成された第２の破断誘導部６ｂと、開放側端１ｅの辺の他の位置で終わる第３の破断誘導部６ｃとから構成されている。
【００３３】
図４に示すように、側端裂開部７は、本体１の開放側端１ｅの辺の一の位置から始まり横断裂開部５側に傾く方向に形成された第１の破断誘導部７ａと、開放側端１ｅの辺に概ね平行に形成された第２の破断誘導部７ｂと、開放側端１ｅの辺の他の位置で終わる第３の破断誘導部７ｃとから構成されている。ここで、第１の破断誘導部７ａと、第２の破断誘導部７ｂとは、４５度の角度で交わっている。また、第２の破断誘導部７ｂと、第３の破断誘導部７ｃとも、４５度の角度で交わっており、第３の破断誘導部７ｃは、第１の破断誘導部７ａに概ね平行に形成されている。
【００３４】
さらに、第１の破断誘導部７ａと第２の破断誘導部７ｂとは、横断裂開部５に対する最近接部において、それぞれの破断誘導部７ａ、７ｂの破断を誘導する一つの略Ｕ字状の切れ目８に接続され、横断裂開部５側から破断された場合に、横断裂開部５に対する最近接部において、それぞれの破断誘導部７ａ、７ｂの破断を同じタイミングで破断開始するように構成されている。
【００３５】
次に図５〜図７を参照して、本発明の実施の形態に係る包装箱１０の作用について説明する。
【００３６】
図５は、一方の側端裂開部６を押圧して破断し、本体糊付け部１ｆが蓋部糊付け部２ｃに糊付けされた状態で本体１から分離した状態を示す説明図である。この状態では、一方の蓋２は、包装箱１０の本体１との連結部２ａを折り目として、この折り目を軸にして包装箱１０の本体１に対して開閉することが可能となっている。
【００３７】
図６は、蓋２を開放した後に、この開口の側から他方の開口にかけて包装箱１０の側面の破断を誘導する横断裂開部５に沿って包装箱１０を破断しつつある状態を示す説明図である。
【００３８】
図７は、他方の側端裂開部７を破断し、本体糊付け部１ｇが蓋部糊付け部３ｃに糊付けされた状態で本体１から分離し、引き続き包装箱１０を概ね平面に展開した状態を示す説明図である。この状態では、横断裂開部５側から側端裂開部７の破断を行うので、第１の破断誘導部７ａと第２の破断誘導部７ｂとからそれることなく容易に破断することができる。この時、略Ｕ字状の切れ目８が、それぞれの破断誘導部７ａ、７ｂの破断を同じタイミングで破断開始する。この状態では、他方の蓋３は、包装箱１０の本体１との連結部３ａを折り目として、この折り目を軸にして包装箱１０の本体１に対して開かれている。そして、この状態で、本体１の内面に設けられた情報を示す表示部４が判読可能になる。
【００３９】
以上説明したように、本発明の実施の形態に係る包装箱１０によれば、包装箱１０の本体１は、両開放側端１ｅにおいて本体糊付け部１ｆ、１ｇを囲うように略コの字状に側端裂開部６、７を有しているので、側端裂開部６、７の始端もしくは終端から破断しても、本体糊付け部１ｆ、１ｇを外方から押圧して側端裂開部６、７の途中から破断しても本体糊付け部１ｆ、１ｇの周りを破断させることができる。そして本体糊付け部１ｆ、１ｇが蓋部糊付け部２ｃ、３ｃに糊付けされた状態で本体１から分離されるので、容易に蓋２、３を開放することができるようになる。
【００４０】
また、この包装箱１０の本体１は、一方の開口から他方の開口にかけて包装箱１０の側面の破断を誘導するミシン目で構成された少なくとも１つの横断裂開部５を有しているので、この横断裂開部５に沿って本体１の側面を正確に破断することができる。
【００４１】
それ故、まず、一方の側端裂開部６を押圧して破断させて蓋２を開放した後に、この開口の側から横断裂開部５を破断し、そのまま他方の側端裂開部７を破断するなどして、容易に包装箱１０を展開することができる。
【００４２】
このように、包装箱１０によれば、蓋２、３の先端に設けられた舌片２ｂ、３ｂが側板に糊付けされたものであっても、包装箱１０を容易にかつ正確に破断して展開することができるようになる。
【００４３】
また、この包装箱１０によれば、側端裂開部７の第１の破断誘導部７ａが、本体１の開放側端１ｅの辺の一の位置から横断裂開部５側に傾く方向に形成され、第２の破断誘導部７ｂが、本体１の開放側端１ｅの辺に概ね平行に形成されているので、横断裂開部５側から側端裂開部７の破断を行えば、第１の破断誘導部７ａと第２の破断誘導部７ｂとからそれることなく容易に側端裂開部７を破断することができる。
【００４４】
また、第３の破断誘導部７ｃが、第１の破断誘導部７ａに概ね平行に形成されているので、第３の破断誘導部７ｃも第１の破断誘導部７ａと同様に、破断誘導部からそれることなく側端裂開部７を破断することができる。
【００４５】
さらに、第１の破断誘導部７ａと第２の破断誘導部７ｂとの両方とも、横断裂開部５に対する最近接部に設けられた略Ｕ字状の切れ目８に接続されているので、それぞれの破断誘導部を同じタイミングで破断開始することができる結果、スムースに側端裂開部７を破断することができる。
【００４６】
そして、この包装箱１０によれば、包装箱１０を容易にかつ正確に破断して展開することができるとともに内面に説明書を表示することができるので、説明書を省略して資源の使用量をできるだけ減らすことができるようになる。
【００４７】
次に図８〜図１２を参照して、本発明の実施の形態に係る包装箱１０の変形例について説明する。
【００４８】
図８は、本発明の第１の変形例に係る包装箱２０の構成を示す展開図である。
【００４９】
図８に示すように、第１の変形例に係る包装箱２０は、横断裂開部５が、側端裂開部６、７のある側板１ａに対向する側板１ｃの一辺に設けられている。この場合でも横断裂開部５の位置が１側板分だけずれるだけで、包装箱２０は、包装箱１０と同様に容易に展開可能となる。
【００５０】
図９は、本発明の第２の変形例に係る包装箱３０の構成を示す展開図である。
【００５１】
図９に示すように、第２の変形例に係る包装箱３０は、横断裂開部５が、側端裂開部６、７のある側板１ａの他辺に設けられている。この場合でも他方の側端裂開部７の向きが変更されるだけで、包装箱３０は、包装箱１０と同様に容易に展開可能となる。
【００５２】
図１０は、本発明の第３の変形例に係る包装箱４０の構成を示す展開図である。
【００５３】
図１０に示すように、第３の変形例に係る包装箱４０は、包装箱１０から横断裂開部５が、側板１ｂの一辺に変更されている。この場合でも横断裂開部５の位置がずれるだけで、包装箱４０は、包装箱１０と同様に容易に展開可能となる。
【００５４】
上述した実施の形態は本発明の好ましい具体例を例示したものに過ぎず、本発明は上述した実施の形態に限定されない。
【００５５】
例えば、包装箱１０は、必ずしも食品、化粧品、医薬品等の包装容器として用いられる箱に限定されない。家電、玩具その他の分野の包装容器に適用可能である。
【００５６】
次に、包装箱１０に用いることができる素材、材料、厚み等は、表示部４に説明等を記載し、破断展開が容易との観点においては、厚紙、ボール紙等の紙が好ましいが、本発明により得られる効果を妨げない限り、製品製造時の工程の適性等によりプラスチックシートや、薄紙など種々の材質が適宜、選択できる。また、包装箱１０について吊り下げ販売が可能なように、フックなどのひっかけ部材や吊り下げ用台紙などの吊り下げ部材等を付設してもよい。
【００５７】
また、各裂開部は、必ずしも１種類のミシン目に限らず、異なるミシン目を組み合わせて構成することも採用可能である。また、その他、弱め線や、ミシン目と弱め線との組み合わせなど、裂開可能な構成であれば、箱の素材、材質、製品製造時の工程の適性等により適宜、選択可能である。
【００５８】
また、横断裂開部５は、図２のように、糊付けされる側板１ｄの辺に設けられる方が側板１ｄが補強され、また右手で側板１ａを把持できるので裂開しやすいが、必ずしも糊付けされる側板１ｄの辺に設けられる必要はなく、各側板１ａ、１ｂ、１ｃ、１ｄのいずれの辺に設けてもよい。さらに、各側板１ａ、１ｂ、１ｃ、１ｄの辺に限定されず、各側板１ａ、１ｂ、１ｃ、１ｄの面を横断するように設けられることも可能である。
【００５９】
また、第１の破断誘導部７ａと、第２の破断誘導部７ｂとの交角、および第２の破断誘導部７ｂと、第３の破断誘導部７ｃとの交角は、必ずしも図示のように４５度である必要はなく、その他の角度に変更可能である。
【００６０】
また、表示部４の説明書きには、用法や取り扱いの説明だけでなく、その他注意書きや、製品の管理番号などにも適用可能であるなど、内容については種々の変更が可能である。
【００６１】
なお、本体糊付け部１ｆ、１ｇ、蓋部糊付け部２ｃ、３ｃは、少なくともそれぞれ接着対応する糊付け部のどちらか一方に糊が付けられて貼り合わせが可能になっていればよく、必ずしも両方に糊が付けられる必要はない。
【００６２】
その他、本発明の特許請求の範囲内で種々の設計変更が可能であることはいうまでもない。
【図面の簡単な説明】
【００６３】
【図１】本発明の実施の形態に係る包装箱の構成を示す斜視図である。
【図２】本発明の実施の形態に係る包装箱の構成を示す展開図である。
【図３】本発明の実施の形態に係る包装箱の一方の側端裂開部の構成を示す説明図である。
【図４】本発明の実施の形態に係る包装箱の他方の側端裂開部の構成を示す説明図である。
【図５】一方の側端裂開部を押圧して破断し、本体糊付け部が蓋部糊付け部に糊付けされた状態で本体から分離した状態を示す説明図である。
【図６】蓋を開放した後に、この開口の側から他方の開口にかけて包装箱の側面の破断を誘導する横断裂開部に沿って包装箱を破断しつつある状態を示す説明図である。
【図７】他方の側端裂開部を破断し、本体糊付け部が蓋部糊付け部に糊付けされた状態で本体から分離し、引き続き包装箱を概ね平面に展開した状態を示す説明図である。
【図８】本発明の実施の形態に係る包装箱の第１の変形例を示す説明図である。
【図９】本発明の実施の形態に係る包装箱の第２の変形例を示す説明図である。
【図１０】本発明の実施の形態に係る包装箱の第３の変形例を示す説明図である。
【符号の説明】
【００６４】
１      本体
１ａ、１ｂ、１ｃ、１ｄ  側板
１ｅ    両開放側端
１ｆ、１ｇ      本体糊付け部
２、３  蓋
２ａ、３ａ      連結部
２ｂ、３ｂ      舌片
２ｃ、３ｃ      蓋部糊付け部
４      表示部
５      横断裂開部
６、７  側端裂開部
６ａ、７ａ      第１の破断誘導部
６ｂ、７ｂ      第２の破断誘導部
６ｃ、７ｃ      第３の破断誘導部
８      切れ目
１０、２０、３０、４０  包装箱
【図１】
2005324820.tif 000003
【図２】
2005324820.tif 000004
【図３】
2005324820.tif 000005
【図４】
2005324820.tif 000006
【図５】
2005324820.tif 000007
【図６】
2005324820.tif 000008
【図７】
2005324820.tif 000009
【図８】
2005324820.tif 000010
【図９】
2005324820.tif 000011
【図１０】
2005324820.tif 000012